(57)【要約】【課題】釣り用具であって、仕掛けケース等の釣り用付属具を水中で使用する場合に、誤って水中に落下させることのない釣り用具を提供する。【解決手段】釣り用具としての釣り具流出防止具５は、螺旋状に形成されたカールコード１０と、カールコード１０の一方の端部に取り付けられた安全ピン２０と、カールコード１０の他方の端部に取り付けられたバックル雄部３０とを有し、例えば、仕掛けケース５０に取り付けられたバックル雌部４０にバックル雄部３０を係止させ、安全ピン２０を衣類のポケット等に取り付けて使用する。【選択図】図３
0003159175.tif 000002
【実用新案登録請求の範囲】
【請求項１】
釣り用具であって、
螺旋状に形成されたカールコードにより形成された伸縮部材と、
伸縮部材の一方の端部に取り付けられた安全ピンと、
伸縮部材の他方の端部に取り付けられた着脱部材と、
を有することを特徴とする釣り用具。
【請求項２】
着脱部材が、バックル雄部とバックル雌部の一方であって、仕掛けを収納するための仕掛けケースその他の取付け対象物に取り付けられたバックル雄部とバックル雌部の他方に着脱可能であることを特徴とする請求項１に記載の釣り用具。
【請求項３】
安全ピンが、金属製の線材を一方の端部で巻回させた後に折り返した形状の線材部と、線材部の一方の端部に固着され、線材部の他方の端部が係脱自在となるヘッド部を有し、カールコードは、一方の端部を線材部における該巻回させた部分であるコイル部に挿通し、該一方の端部の先端を該先端よりも基端側に溶着して該一方の端部がループ状に形成されていることを特徴とする請求項１又は２に記載の釣り用具。
【請求項４】
伸縮部材におけるカールコードの端部に安全ピンと接続するための接続部材が設けられていることを特徴とする請求項１又は２又は３に記載の釣り用具。
【請求項５】
伸縮部材におけるカールコードの端部に着脱部材と接続するための第２接続部材が設けられていることを特徴とする請求項１又は２又は３又は４に記載の釣り用具。
【請求項６】
接続部材と第２接続部材が二重コードであり、予め端部がループ状に形成されたカールコードに二重コードを構成する線材を挿通することにより、二重コードがカールコードに取り付けられていることを特徴とする請求項４又は５に記載の釣り用具。
【請求項７】
釣り用具であって、
螺旋状に形成されたカールコードと、
カールコードの一方の端部に取り付けられた安全ピンで、金属製の線材を一方の端部で巻回させた後に折り返した形状の線材部と、線材部の一方の端部に固着され、線材部の他方の端部が係脱自在となるヘッド部を有し、カールコードの一方の端部を線材部における該巻回させた部分であるコイル部に挿通し、該一方の端部の先端を該先端よりも基端側に溶着して該一方の端部をループ状に形成することによりカールコードに取り付けられた安全ピンと、
カールコードの他方の端部に取り付けられた着脱部材で、バックル雄部とバックル雌部の一方により形成され、仕掛けを収納するための仕掛けケースその他の取付け対象物に取り付けられたバックル雄部とバックル雌部の他方に着脱可能である着脱部材と、
を有することを特徴とする釣り用具。
【考案の詳細な説明】
【技術分野】
【０００１】
本考案は、魚釣り用具（特に、釣り用付属具）に関するものであり、特に、仕掛けケース等の釣り具の水中への流出を防止する流出防止具に関するものである。
【背景技術】
【０００２】
従来より、仕掛けケース等の釣り用付属具で小型のものは、ポケットに収納して使用するのが一般的であった。
【０００３】
なお、出願人は、先行技術文献として、特許文献１を知得している。
【先行技術文献】
【特許文献】
【０００４】
【特許文献１】実用新案登録第３０２４９０７号公報
【考案の概要】
【考案が解決しようとする課題】
【０００５】
しかし、仕掛けケース等の釣り用付属具を水中で使用する場合に、誤って水中に落としてしまうおそれがあり、水中に落とすおそれをなくすことが要望されていた。
【０００６】
そこで、本考案が解決しようとする問題点は、仕掛けケース等の釣り用付属具を水中で使用する場合に、誤って水中に落下させることのない釣り用付属具を提供することを目的とするものである。
【課題を解決するための手段】
【０００７】
本考案は上記問題点を解決するために創作されたものであって、第１には、釣り用具であって、螺旋状に形成されたカールコードにより形成された伸縮部材と、伸縮部材の一方の端部に取り付けられた安全ピンと、伸縮部材の他方の端部に取り付けられた着脱部材と、を有することを特徴とする。
【０００８】
この第１の構成の釣り用具においては、着脱部材を仕掛けを収納するための仕掛けケースその他の取付け対象物に取り付けるとともに、安全ピンを衣類のポケット等に取り付けて使用する。取付け対象物を使用する場合には、ポケットに収納された取付け対象物を取り出すと、カールコードが伸びるので、取付け対象物を使用に支障となることがない。取付け対象物を使用したら、再び取付け対象物をポケットに収納する。よって、本考案の釣り用具は、安全ピンにより衣類に取り付けておくことにより、誤って取付け対象物を手から落下させてしまっても、水中に落下させてしまうことがない。
【０００９】
また、第２には、上記第１の構成において、着脱部材が、バックル雄部とバックル雌部の一方であって、仕掛けを収納するための仕掛けケースその他の取付け対象物に取り付けられたバックル雄部とバックル雌部の他方に着脱可能であることを特徴とする。
【００１０】
また、第３には、上記第１又は第２の構成において、安全ピンが、金属製の線材を一方の端部で巻回させた後に折り返した形状の線材部と、線材部の一方の端部に固着され、線材部の他方の端部が係脱自在となるヘッド部を有し、カールコードは、一方の端部を線材部における該巻回させた部分であるコイル部に挿通し、該一方の端部の先端を該先端よりも基端側に溶着して該一方の端部がループ状に形成されていることを特徴とする。
【００１１】
また、第４には、前記第１から第３までのいずれかの構成において、伸縮部材におけるカールコードの端部に安全ピンと接続するための接続部材が設けられていることを特徴とする。
【００１２】
また、第５には、前記第１から第４までのいずれかの構成において、伸縮部材におけるカールコードの端部に第２着脱部材と接続するための接続部材が設けられていることを特徴とする。
【００１３】
また、第６には、上記第４又は第５の構成において、接続部材と第２接続部材が二重コードであり、予め端部がループ状に形成されたカールコードに二重コードを構成する線材を挿通することにより、二重コードがカールコードに取り付けられていることを特徴とする。よって、予め端部がループ状に形成されたカールコードを使用することができる。
【００１４】
また、第７には、釣り用具であって、螺旋状に形成されたカールコードと、カールコードの一方の端部に取り付けられた安全ピンで、金属製の線材を一方の端部で巻回させた後に折り返した形状の線材部と、線材部の一方の端部に固着され、線材部の他方の端部が係脱自在となるヘッド部を有し、カールコードの一方の端部を線材部における該巻回させた部分であるコイル部に挿通し、該一方の端部の先端を該先端よりも基端側に溶着して該一方の端部をループ状に形成することによりカールコードに取り付けられた安全ピンと、カールコードの他方の端部に取り付けられた着脱部材で、バックル雄部とバックル雌部の一方により形成され、仕掛けを収納するための仕掛けケースその他の取付け対象物に取り付けられたバックル雄部とバックル雌部の他方に着脱可能である着脱部材と、を有することを特徴とする。
【００１５】
この第６の構成の釣り用具においては、着脱部材を構成するバックル雄部とバックル雌部の一方を仕掛けを収納するための仕掛けケースその他の取付け対象物に取り付けられたバックル雄部とバックル雌部の他方に取り付けるとともに、安全ピンを衣類のポケット等に取り付けて使用する。取付け対象物を使用する場合には、ポケットに収納された取付け対象物を取り出すと、カールコードが伸びるので、取付け対象物を使用の支障となることがない。取付け対象物を使用したら、再び取付け対象物をポケットに収納する。よって、本考案の釣り用具は、安全ピンにより衣類に取り付けておくことにより、誤って取付け対象物を手から落下させてしまっても、水中に落下させてしまうことがない。
【考案の効果】
【００１６】
本考案に基づく釣り用具によれば、着脱部材を仕掛けを収納するための仕掛けケースその他の取付け対象物に取り付けるとともに、安全ピンを衣類のポケット等に取り付けて使用することにより、誤って取付け対象物を手から落下させてしまっても、水中に落下させてしまうことがない。
【図面の簡単な説明】
【００１７】
【図１】本考案の実施例に基づく釣り具流出防止具を示す平面図である。
【図２】図１の要部拡大図である。
【図３】釣り具流出防止具の使用状態を示す斜視図である。
【図４】図３の要部拡大図である。
【図５】釣り具流出防止具の使用状態を示す斜視図である。
【図６】釣り具流出防止具の使用状態を示す斜視図である。
【考案を実施するための形態】
【００１８】
本考案においては、仕掛けケース等の釣り用付属具を水中で使用する場合に、誤って水中に落下させることのない釣り用付属具を提供するという目的を以下のようにして実現した。
【００１９】
本考案の釣り用付属具としての釣り具流出防止具５は、図１、図２に示すように構成され、カールコード（伸縮部材）１０と、安全ピン２０と、バックル雄部（着脱部材）３０とを有している。
【００２０】
ここで、カールコード１０は、コードを螺旋状に巻回して形成され、伸縮自在に形成されている。カールコード１０は、従来からのカールコードであり、例えば、螺旋状の線材の周囲にウレタンを設ける等して形成されている。カールコードは、スパイラルコードとも呼ばれる。
【００２１】
また、安全ピン２０は、カールコード１０の一方の端部に取り付けられ、安全ピン２０のコイル部２４にカールコード１０が取り付けられている。すなわち、安全ピン２０は、従来の安全ピンと同様の構成であり、図２に示すように、線材部２２と、ヘッド部２８とを有し、線材部２２は、金属製の線材を一方の端部で巻回させた後に折り返した形状を呈し、巻回した部分がコイル部２４となり、コイル部２４からヘッド部２８側に一対のシャフト部２６ａ、２６ｂが伸びている。一対のシャフト部２６ａ、２６ｂは、互いに略平行となっている。
【００２２】
ヘッド部２８は、線材部２２の一方のシャフト部２６ａの端部を固定するとともに、他方のシャフト部２６ｂの端部を係脱自在に構成されていて、該他方のシャフト部２６ｂの端部を受ける受け部２８ａと、受け部２８ａと反対側に設けられ、受け部２８ａに向けて略板状に形成されシャフト部２６ｂを受け部２８ａに案内するためのガイド板部２８ｂとを有している。
【００２３】
該安全ピン２０のカールコード１０への取付け状態は、カールコード１０の端部を安全ピン２０のコイル部２４に挿通した後に、カールコード１０の端部１０ａをカールコード１０の端部１０ａよりも基端側の部分１０ｂに溶着して固着し、カールコード１０の端部をループ状に形成することにより構成されている。溶着の方法としては、例えば、熱溶着が挙げられる。
【００２４】
また、バックル雄部３０は、カールコード１０の他方の端部に取り付けられ、基端側のループ状部３０ａと、ループ状部３０ａの先端側に連設され、バックル雌部４０に脱着する係脱部３０ｂとを有している。なお、バックル雄部３０の取付け状態は、上記安全ピン１０と同様であり、カールコード１０の端部をループ状部３０ａに挿通した後に、カールコード１０の端部をカールコード１０の該端部よりも基端側の部分に熱溶着等により溶着して固着し、カールコード１０の端部をループ状に形成することにより構成されている。
【００２５】
上記構成の釣り具流出防止具５の使用状態について説明する。釣り具流出防止具５は、バックル雄部３０を仕掛けケース（取付け対象物）５０に取り付けられたバックル雌部４０に係止させて使用する。つまり、図３、図４に示す例は、仕掛けケース５０にバックル雌部４０が取り付けられ、具体的には、バックル雌部４０は、バックル雌部本体４２とバックル雌部４２に取り付けられた紐部４４からなり、紐部４４が仕掛けケース５０に設けられた穴部に取り付けられている。なお、バックル雄部３０とバックル雌部４０とは係脱自在となっている。
【００２６】
仕掛けケース５０は、釣り用の仕掛けを収納するためのケースであり、仕掛けを収納するケース本体５２と、ケース本体５２に対して開閉する蓋部５４とを有している。
【００２７】
上記のようにバックル雄部３０をバックル雌部４０に取り付けて釣り具流出防止具５を取り付けた仕掛けケース５０は、図５に示すように、安全ピン２０を衣類（図５の例では、ズボン）のポケットの内側に取り付ける。つまり、安全ピン２０のシャフト部２６ｂをポケットの内側の生地に挿通し、該シャフト部２６ｂの先端をヘッド部２８に係止させることにより安全ピン２０をポケットの内側に取り付ける。
【００２８】
そして、仕掛けケース５０を使用しない場合には、仕掛けケース５０をポケットに収納しておき、一方、仕掛けケース５０を使用する場合には、図６に示すように、仕掛けケース５０をポケットから取り出して、仕掛けケース５０の蓋部５４を開閉して仕掛けを取り出したり、仕掛けを収納する等して使用する。なお、仕掛けケース５０をポケットから取り出しても、カールコード１０が伸びるので、仕掛けケース５０の使用に支障となることがない。
【００２９】
なお、仕掛けケース５０をポケットから取り出して使用する場合に、誤って仕掛けケース５０を手から落下させても、仕掛けケース５０は、釣り具流出防止具５を介してポケットに固着されているので、水中に落下させてしまうことがない。
【００３０】
仕掛けケース５０の使用を終了したら、仕掛けケース５０を再びポケットに収納すればよい。
【００３１】
なお、上記の説明では、バックル雄部３０に取り付ける釣り用付属具として仕掛けケースを例にしたが、仕掛けケース５０の代わりに、他の釣り用付属具を用いてもよい。
【００３２】
また、上記の説明においては、カールコード１０の他方の端部にバックル雄部３０が取り付けられているとしたが、バックル雌部を取り付け、仕掛けケース５０側にバックル雄部を取り付けてもよい。
【００３３】
また、上記の説明においては、安全ピン２０はカールコード１０に直接取り付けられているとして説明したが、安全ピン２０とカールコード１０間に接続部材を設けて、この接続部材を介して安全ピン２０とカールコード１０とを取り付けるようにしてもよい。この接続部材としては、例えば、リング状の部材、具体的には、二重リングが考えられる。つまり、二重リングをカールコード１０に取り付け、該二重リングに安全ピン２０を取り付ける。なお、二重リングをカールコード１０に取り付けるには、二重リングは線材を二重に巻回して構成したものであるので、予めカールコード１０の端部が該端部よりも基端側の部分に溶着等により固着してカールコード１０の端部がループ状に形成されたものでも、二重リングを構成する線材の一方の端部をカールコード１０における該ループ状の部分に挿通していくことにより該二重リングをカールコード１０に取り付けることができる。つまり、上記のように、カールコード１０の端部を接続部材に挿通して該端部よりも基端側に溶着する作業は必要なく、予め、カールコード１０の端部がループ状に形成されたものを使用できる。二重リングを安全ピン２０に取り付ける場合にも、同じように、二重リングを構成する線材の一方の端部を安全ピン２０のコイル部２４に挿通していくことにより該二重リングを安全ピンに取り付けることができる。
【００３４】
また、同様に、バックル雄部３０についても、バックル雄部３０とカールコード１０に接続部材を設けて、この接続部材を介してバックル雄部３０とカールコード１０とを取り付けるようにしてもよい。この接続部材についても、例えば、リング状の部材、具体的には、二重リングが考えられ、二重リングをカールコードの他方の端部に取り付けるには、上記と同様に、カールコード１０の端部がループ状に形成されたものに対して、該ループ状の部分に二重リングを構成する線材の一方の端部を挿通していくことにより、該ループ状の部分に取り付けることができる。二重リングをバックル雄部３０に取り付ける場合にも、同じように、二重リングを構成する線材の一方の端部をバックル雄部３０のループ状部３０ａに挿通していくことにより該二重リングを安全ピンに取り付けることができる。
【００３５】
なお、上記のように、カールコード１０に接続部材を設けた場合には、カールコード１０と接続部材とで、伸縮部材が構成される。
【００３６】
また、釣り具流出防止具５は、釣り用のベストに安全ピン２０を取り付けることにより装着して使用するようにしてもよい。
【符号の説明】
【００３７】
５  釣り具流出防止具
１０  カールコード
２０  安全ピン
３０  バックル雄部（着脱部材）
４０  バックル雌部
５０  仕掛けケース（取付け対象物）
【図１】
0003159175.tif 000003
【図２】
0003159175.tif 000004
【図３】
0003159175.tif 000005
【図４】
0003159175.tif 000006
【図５】
0003159175.tif 000007
【図６】
0003159175.tif 000008
【手続補正書】
【提出日】平成22年2月26日(2010.2.26)
【手続補正１】
【補正対象書類名】実用新案登録請求の範囲
【補正対象項目名】全文
【補正方法】変更
【補正の内容】
【実用新案登録請求の範囲】
【請求項１】
釣り用具であって、
螺旋状に形成されたカールコードにより形成された伸縮部材と、
伸縮部材の一方の端部に取り付けられた安全ピンと、
伸縮部材の他方の端部に取り付けられた着脱部材と、
を有することを特徴とする釣り用具。
【請求項２】
着脱部材が、バックル雄部とバックル雌部の一方であって、仕掛けを収納するための仕掛けケースその他の取付け対象物に取り付けられたバックル雄部とバックル雌部の他方に着脱可能であることを特徴とする請求項１に記載の釣り用具。
【請求項３】
安全ピンが、金属製の線材を一方の端部で巻回させた後に折り返した形状の線材部と、線材部の一方の端部に固着され、線材部の他方の端部が係脱自在となるヘッド部を有し、カールコードは、一方の端部を線材部における該巻回させた部分であるコイル部に挿通し、該一方の端部の先端を該先端よりも基端側に溶着して該一方の端部がループ状に形成されていることを特徴とする請求項１又は２に記載の釣り用具。
【請求項４】
伸縮部材におけるカールコードの端部に安全ピンと接続するための接続部材が設けられていることを特徴とする請求項１又は２又は３に記載の釣り用具。
【請求項５】
接続部材が二重リングであり、予め端部がループ状に形成されたカールコードに二重リングを構成する線材を挿通することにより、接続部材がカールコードに取り付けられていることを特徴とする請求項４に記載の釣り用具。
【請求項６】
伸縮部材におけるカールコードの端部に着脱部材と接続するための第２接続部材が設けられていることを特徴とする請求項１又は２又は３又は４又は５に記載の釣り用具。
【請求項７】
第２接続部材が二重リングであり、予め端部がループ状に形成されたカールコードに二重リングを構成する線材を挿通することにより、第２接続部材がカールコードに取り付けられていることを特徴とする請求項６に記載の釣り用具。
【請求項８】
釣り用具であって、
螺旋状に形成されたカールコードと、
カールコードの一方の端部に取り付けられた安全ピンで、金属製の線材を一方の端部で巻回させた後に折り返した形状の線材部と、線材部の一方の端部に固着され、線材部の他方の端部が係脱自在となるヘッド部を有し、カールコードの一方の端部を線材部における該巻回させた部分であるコイル部に挿通し、該一方の端部の先端を該先端よりも基端側に溶着して該一方の端部をループ状に形成することによりカールコードに取り付けられた安全ピンと、
カールコードの他方の端部に取り付けられた着脱部材で、バックル雄部とバックル雌部の一方により形成され、仕掛けを収納するための仕掛けケースその他の取付け対象物に取り付けられたバックル雄部とバックル雌部の他方に着脱可能である着脱部材と、
を有することを特徴とする釣り用具。
【手続補正２】
【補正対象書類名】明細書
【補正対象項目名】００１２
【補正方法】変更
【補正の内容】
【００１２】
また、第５には、上記第４の構成において、接続部材が二重リングであり、予め端部がループ状に形成されたカールコードに二重リングを構成する線材を挿通することにより、接続部材がカールコードに取り付けられていることを特徴とする。よって、予め端部がループ状に形成されたカールコードを使用することができる。
【手続補正３】
【補正対象書類名】明細書
【補正対象項目名】００１３
【補正方法】変更
【補正の内容】
【００１３】
また、第６には、前記第１から第５までのいずれかの構成において、伸縮部材におけるカールコードの端部に着脱部材と接続するための第２接続部材が設けられていることを特徴とする。
また、第７には、上記第６の構成において、第２接続部材が二重リングであり、予め端部がループ状に形成されたカールコードに二重リングを構成する線材を挿通することにより、第２接続部材がカールコードに取り付けられていることを特徴とする。よって、予め端部がループ状に形成されたカールコードを使用することができる。
【手続補正４】
【補正対象書類名】明細書
【補正対象項目名】００１４
【補正方法】変更
【補正の内容】
【００１４】
また、第８には、釣り用具であって、螺旋状に形成されたカールコードと、カールコードの一方の端部に取り付けられた安全ピンで、金属製の線材を一方の端部で巻回させた後に折り返した形状の線材部と、線材部の一方の端部に固着され、線材部の他方の端部が係脱自在となるヘッド部を有し、カールコードの一方の端部を線材部における該巻回させた部分であるコイル部に挿通し、該一方の端部の先端を該先端よりも基端側に溶着して該一方の端部をループ状に形成することによりカールコードに取り付けられた安全ピンと、カールコードの他方の端部に取り付けられた着脱部材で、バックル雄部とバックル雌部の一方により形成され、仕掛けを収納するための仕掛けケースその他の取付け対象物に取り付けられたバックル雄部とバックル雌部の他方に着脱可能である着脱部材と、を有することを特徴とする。
【手続補正５】
【補正対象書類名】明細書
【補正対象項目名】００１５
【補正方法】変更
【補正の内容】
【００１５】
この第８の構成の釣り用具においては、着脱部材を構成するバックル雄部とバックル雌部の一方を仕掛けを収納するための仕掛けケースその他の取付け対象物に取り付けられたバックル雄部とバックル雌部の他方に取り付けるとともに、安全ピンを衣類のポケット等に取り付けて使用する。取付け対象物を使用する場合には、ポケットに収納された取付け対象物を取り出すと、カールコードが伸びるので、取付け対象物を使用の支障となることがない。取付け対象物を使用したら、再び取付け対象物をポケットに収納する。よって、本考案の釣り用具は、安全ピンにより衣類に取り付けておくことにより、誤って取付け対象物を手から落下させてしまっても、水中に落下させてしまうことがない。